(57)【要約】      （修正有）【課題】吸盤への多少の制限荷重オーバーや吸着力が不足することに起因する滑落あるいは落下が予防され、日常取扱いにおいて常に安定した状態で使える吸盤式収納小物とする。【解決手段】特にキッチンカウンター等の沿部を支えに利用する補助部材を有することで、収納物の重量による吸盤への負荷が軽減されるようにする。又、更には同補助部材を収納物の重量増加に伴って該沿部との間で吸盤の陰圧を増強する方向に分力が働く形状とすることで、負荷への補強が図られるようにする。【選択図】図４
0003119865.tif 000002
【実用新案登録請求の範囲】
【請求項１】
取付け用の吸盤とセットで構成され、キッチンシンク等の壁面に前記吸盤の吸着により設置する収納小物であって、上部のキッチンカウンター等の沿部を支えとする補助部材を有することで収納物の重量による前記吸盤への負荷が軽減され、滑落あるいは落下が予防される吸盤式収納小物。
【請求項２】
請求項１の吸盤式収納小物であって、キッチンカウンター等の沿部を支えとする同補助部材が収納物の重量に伴って該沿部との間で吸盤の陰圧を増強する方向に分力が働く形状からなることを特徴とし、滑落あるいは落下が予防される吸盤式収納小物。
【考案の詳細な説明】
【技術分野】
【０００１】  本考案は、主としてキッチンやバスルーム、洗面化粧台などの水回りで使用される収納小物に係わり、吸盤の吸着力を利用して壁面に設置する吸盤式収納小物に関する。
【背景技術】
【０００２】  従来、キッチンやバスルーム、洗面化粧台などの水回りで使用される吸盤式収納小物はワイヤーフレームやパンチングメタルなどの通気構造、あるいは底部などの必要部に通水用の穴を開けるなど水切り型のものが多く、収納形態も目的によってバスケット型、ボックス型、ホルダー型、ポケット型、ラック型、フック型など種々のものがある。そして、それらは比較的軽量な構造体からなるものが殆どであり、吸盤によって壁面（滑面）に自在に取付けられ、取付け取外しを含めて傷もつかないため非常に便利に使用されている。又、一般的には単に吸盤の吸着力によって取付けるだけといった形態のものが最も普及している。
【考案の開示】
【考案が解決しようとする課題】
【０００３】  前記の吸盤式収納小物は、前述の通り比較的軽量な構造体からなるものが殆どであり、予定の吸着力が保てない場合（吸着面が良好な滑面でない、濡れているなど）を除き、それ自体の重量は吸盤の壁面への吸着力によって十分に支えられ、且つ収納物の制限荷重の表示についても“１ｋｇ前後”としているものが最も多いという実態からして、石鹸やスポンジ等の軽量物が収納される場合の耐荷重については殆ど問題がない。しかし、許容荷重に注意が必要な場合があるため、その喚起として“貴重品や壊れやすいものを掛けない”という表示（注意書き）の記載例はあっても、使用者が前述の制限荷重を日常使用できちんと守る（収納物を選定する）ことについては期待することの方に無理があり、いつのまにか重量が嵩んでしまい、たかだか１ｋｇ程度の制限荷重を超えてしまうことは往々にして有り得ることである。【０００４】  特に、最近のボトルやケース入りの洗剤や各種製剤等を収納する場合、例えボトルやケース部が硝子や金属ではなく樹脂製のであったとしても、水物やクリーム状といった比重の高い内容物を有することから、概して重量増加をきたし易い収納物であることには変わりがない。【０００５】  従って、吸盤部が当初は十分な吸着状況であったとしても、予想を超える負荷が加わることで細部エアの流入など吸着力が保てなくなる状況に至り、比較的短時間のうちに吸盤式収納小物は滑落あるいは剥離して落下という事態にもなりかねない。しかし、単に吸盤の吸着力によって取付けるだけといった形態のものが最も普及している現状においては、そのことについて使用者が注意する以外は無防備であり、使用中だけでなく気がつかないうちに収納物の落下散乱といった不愉快な結果を招くなど、収納小物としての用を成さなくなるといった不具合が生じる。【０００６】  よって、本考案においては吸盤への多少の制限荷重オーバーや吸着力が不足することに起因する滑落あるいは落下が予防され、日常取扱いにおいて常に安定した状態で使える吸盤式収納小物とすることを技術課題とする。
【課題を解決するための手段】
【０００７】  上記課題を解決するために、本考案は以下のような構成とする。主としてキッチンシンク等の壁面に吸盤の吸着により設置する吸盤式収納小物において、上部のキッチンカウンター等の沿部を支えとする補助部材を有することで収納物の重量による前記吸盤への負荷が軽減され、滑落あるいは落下が予防されるようにする。【０００８】  又、キッチンカウンター等の沿部を支えとする同補助部材が収納物の重量増加に伴って該沿部との間で吸盤の陰圧を増強する方向に分力が働く形状とすることで、滑落あるいは落下が予防されるようにする。
【考案の効果】
【０００９】  吸盤式収納小物として、日常取扱い面の安定性を長期に渡って保つことが可能になる。又、基本的な吸盤による壁面（滑面）への取付け取外しの自由度についても、従来の取扱いの至便さを大きく損なうことがないため利用価値が高い。又、取付けの当初から補助的な支えとしての効果があることから、吸盤を強力に壁面に吸着させなければならないといったことにも気を遣わなくて良く、取付け時の安心感が増すばかりか無理な押圧を行うことによる吸盤そのものの傷みが回避できるなど、長期に渡っての使用にも耐えるといった派生効果も期待できる。
【考案を実施するための最良の形態】
【００１０】  補助固定部材とは、キッチンシンクで使用される例においてはキッチンウンター等の沿部を支えに利用するものであるが、吸盤式収納小物の吸盤の部分に取付けられる場合と、収納小物の部分に取付けらる場合の二種類の形態があり、何れの場合も同様の効果が期待できる。【００１１】  本考案の実施の一形態について図面を用いて説明する。図１〜図６において、１０は吸盤式収納小物である収納バスケット（ワイヤーフレーム構造による例）、１１は収納バスケット１０のワイヤーフレーム構造の一部として設けられた吸盤取付形状、１２はキッチンシンクの壁に収納バスケット１０を固定するための吸盤（塩化ビニール製が多い）、１３は収納バスケット１０のワイヤーフレーム構造の一部として設けたバスケット足、１４ａは第一の本考案の補助支持部材、１４ｂは第２の本考案の補助支持部材、１５は補助支持部材１４ｂと収納バスケット１０を連結するための継手である。【００１２】  図１は従来例による一実施の形態の正面図であり、図２はその側面図、図３は第一の本考案による一実施の形態の正面図であり、図４はその側面図、図５は第二の本考案による一実施の形態の正面図であり、図６はその側面図を示す。【００１３】  従来例である図１及び図２において、収納バスケット１０は、吸盤取付形状１１を吸盤１２の頭部の溝に嵌込むことで吸盤１２を保持し、吸盤１２は吸着面の空気を押出すようにキッチンシンクの壁面に押付けられることで、収納バスケット１０を含む全体が所望の位置に設置される。尚、バスケット足１３は吸盤１２で保持された収納バスケット１０の下部を壁面に安定させる役目を果たす。【００１４】  第一の本考案である図３及び図４において、収納バスケット１０は、吸盤取付形状１１を吸盤１２の頭部の溝に嵌込むことで吸盤１２を保持し、吸盤１２は吸着面の空気を押出すようにキッチンシンクの壁面に押付けられることで、収納バスケット１０を含む全体が所望の位置に設置される。ここまでは従来例と変わりがないが、本考案では補助支持部材１４ａが吸盤１２の頭部を貫通する形で取付けられ、小さめに作られた取付け穴によってやや重い摺動で上下に調節が可能であって、キッチンカウンター沿部に上部の折曲げ形状を位置合せすることで掛止めを形成することができる。そして、該掛止めがもたらす接触点は、収納バスケット１０の収納物による荷重の発生と共に吸盤１２全体の撓みも手伝って負荷に対する上向きの分力と共に、吸盤１２の吸着と反対方向（図面では左方向）への分力を発生させる。（尚、補助支持部材１４ａは図示のように下部に壁に対する突張り部のある方が効果を高められる。）然るに、前者は単純に荷重に対する支えとなるが、後者は吸盤１２の吸着面内の陰圧を増加させる分力となることで荷重に対抗する吸着力の強化に繋がり、結果的に何れの働きによっても滑落あるいは落下が予防されることになる。【００１５】  第二の本考案である図５及び図６において、収納バスケット１０は、吸盤取付形状１１を吸盤１２の頭部の溝に嵌込むことで吸盤１２を保持し、吸盤１２は吸着面の空気を押出すようにキッチンシンクの壁部に押付けられることで、収納バスケット１０を含む全体が所望の位置に設置される。ここまでは従来例と変わりがないが、本考案では補助支持部材１４ｂが継手１５を介して収納バスケット１０の構造体に直接に取付けられ、且つ継手１５が補助支持部材１４ｂに対してバネ性を利用するなどの押圧構造にもなっていることから、やや重い摺動で上下に調節が可能であって、キッチンカウンター沿部に上部の折曲げ形状を位置合せすることで掛止めを形成することができる。そして、該掛止めがもたらす接触点は、収納バスケット１０の収納物による荷重の発生と共に吸盤１２全体の撓みも手伝って負荷に対する上向きの分力と共に、吸盤の吸着と反対方向（図面では左方向）への分力を発生させる。然るに、前者は単純に荷重に対する支えとなるが、後者は吸盤１２の吸着面内の陰圧を増加させる分力となることで荷重に対抗する吸着力の強化に繋がり、結果的に何れの働きによっても滑落あるいは落下が予防されることになる。
【産業上の利用可能性】
【００１６】  本考案は、主に家庭用品として水回りで使われる消耗品や道具類を収める目的の吸盤式収納小物類に係わり、その吸盤取付けにおける補強手段であって、安定性や安全性を確保することに関する。
【図面の簡単な説明】
【００１７】
【図１】従来例、キッチンシンクで使用される吸盤式収納小物の正面図である。
【図２】従来例、キッチンシンクで使用される吸盤式収納小物の側面図である
【図３】第一の本考案、補助支持部材ａの取付け例による正面図である。
【図４】第一の本考案、補助支持部材ａの取付け例による側面図である。
【図５】第二の本考案、補助支持部材ｂの取付け例による正面図である。
【図６】第二の本考案、補助支持部材ｂの取付け例による側面図である。
【符号の説明】
【００１８】  １０収納バスケット
１１吸盤取付形状
１２吸盤
１３バスケット足
１４ａ補助支持部材
１４ｂ補助支持部材
１５継手
【図１】
0003119865.tif 000003
【図２】
0003119865.tif 000004
【図３】
0003119865.tif 000005
【図４】
0003119865.tif 000006
【図５】
0003119865.tif 000007
【図６】
0003119865.tif 000008